(57)【特許請求の範囲】
【請求項１】
扉を開いた状態時は扉と戸当たり枠との間に挟まれて扉の全閉を妨げる突出位置を保持し、かつ所定の操作で扉の全閉を妨げない没入位置へ移動可能なストッパ部材を備える扉用安全装置であって、
前記ストッパ部材の没入方向移動を阻止する干渉部材と、
前記干渉部材を前記ストッパ部材と干渉しない位置へ移動させる干渉部材移動手段と、
前記干渉部材が前記ストッパ部材と干渉しない位置に前記干渉部材移動手段を保持させることによって前記ストッパ部材の全閉阻止機能を人為的に無効化するための選択手段とを有することを特徴とする扉用安全装置。
【請求項２】
前記干渉部材と前記干渉部材移動手段とが、共通のばね部材をもって共に初期位置へ向けて付勢されることを特徴とする請求項１に記載の扉用安全装置。
【請求項３】
当該扉用安全装置が引き戸に設けられ、前記干渉部材移動手段が前記引き戸の取っ手と一体に設けられることを特徴とする請求項１または２に記載の扉用安全装置。
【発明の詳細な説明】
【０００１】
【発明の属する技術分野】
本発明は、扉を開いた状態時は扉と戸当たり枠との間に挟まれて扉の全閉を妨げる突出位置を保持し、かつ所定の操作で扉の全閉を妨げない没入位置へ移動可能なストッパ部材を備える扉用安全装置に関するものである。
【０００２】
【従来の技術】
日常生活の中で、勢いよく扉を閉めることがある。このような慣性力を扉に加える閉め方を不用意に行うと、ともすれば扉と戸当たり枠との間に指を挟んだりする事故に繋がるおそれがある。このような事故を誘発させないために、引き戸の縦框と戸当たり枠との間に出没自在なストッパ部材を設けることにより、不用意に引き戸を閉めてもストッパに突き当たって縦框と戸当たり枠との間に隙間が開くようにした引戸用安全装置を、特願平６−１５８２６９号（特開平８−４４０９号公報）で本出願人は提案した。
【０００３】
【発明が解決しようとする課題】
しかるに、この先行技術によると、引き戸を開ける際に縦框と戸当たり枠との間に自動的にストッパが突出し、閉める時には必ずストッパが突き当たることになる。従って、引き戸を全閉するには、その都度ストッパを解除位置へ戻さねばならなかった。これは安全性を確保し得る反面、意識して引き戸を閉める習慣のある者には煩わしさを感じさせる懸念があった。
【０００４】
本発明は、このような従来技術の問題点を解消するべく案出されたものであり、その主な目的は、第１に、使用者の意思によって任意に機能を無効化することが可能なように扉用安全装置を改良することにある。また第２に、不用意に閉めた時の保安性を損なわずに、意識的に閉める時には煩わしさを感じさせることが無いように扉用安全装置を改良することにある。
【０００５】
このような目的を果たすために、本発明の請求項１においては、扉を開いた状態時は扉と戸当たり枠との間に挟まれて扉の全閉を妨げる突出位置を保持し、かつ所定の操作で扉の全閉を妨げない没入位置へ移動可能なストッパ部材を備える扉用安全装置であって、扉用安全ストッパを、ストッパ部材の没入方向移動を阻止する干渉部材と、干渉部材をストッパ部材と干渉しない位置へ移動させる干渉部材移動手段と、干渉部材がストッパ部材と干渉しない位置に干渉部材移動手段を保持させることによってストッパ部材の全閉阻止機能を人為的に無効化するための選択手段とを有するものとした。このようにすれば、干渉部材移動手段の位置設定によってストッパの機能を任意に無効化することができる。
【０００７】
請求項２の発明においては、干渉部材と干渉部材移動手段とを、共通のばね部材をもって共に初期位置へ向けて付勢するようにした。これにより、構造の簡略化と部品点数の削減を企図し得る。
【０００８】
請求項３の発明においては、当該扉用安全ストッパを引き戸に設け、干渉部材移動手段を引き戸の取っ手と一体に設けるものとした。このようにすれば、ストッパ部材の突出位置を保持する干渉部材が、取っ手を持って意識的に引き戸を閉める時には、ストッパ部材と干渉しない位置へ自動的に移動することとなる。
【０００９】
【発明の実施の形態】
以下、添付の図面に示された具体例を参照して本発明を詳細に説明する。
【００１０】
図１は、本発明が適用された住宅用アルミサッシュの一例を示している。このサッシュは、固定枠１の内側に２枚の引き違い式ガラス障子２・３を摺動自在に組み込んでなり、アルミニウム合金材で中空に形成された縦框４に本発明の安全装置５が組み込まれている。
【００１１】
安全装置５は、図２〜５に示したように、縦框４の側壁に形成された切欠孔６から縦框４の内側に収納されており、そのケース７の側壁に一体形成されたフランジ８をもって、縦框４の側壁にビス止めされている。
【００１２】
矩形の箱形をなすケース７内には、水平方向に摺動してケース７の一側面から出没自在であり、かつ横向きコイルばね９で突出方向へ常時弾発付勢されたストッパ部材１０と、垂直方向に摺動自在であり、かつ縦向きコイルばね１１で上向きに常時弾発付勢された干渉部材１２と、干渉部材１２の前面（室内側の面）に形成された突起１３と斜めのカム溝１４をもって係合し、かつ水平方向に移動することで干渉部材１２を下向きに移動させるための移動部材１５と、干渉部材１２の下側位置を保持する位置に移動部材１５を保持するための選択部材１６とが収容されている。
【００１３】
なお、ストッパ部材１０、干渉部材１２、並びに移動部材１５は、ケース内面の溝Ｇに係合する突部Ｒにより、各々の移動軌跡が規制されている。
【００１４】
また選択部材１６は、ケース７の前後壁に軸支された偏心カムからなっており、その支軸１７の端部に形成されたマイナス溝１８をマイナスドライバなどで９０度回動させることにより、移動部材１５の移動を妨げない状態と、移動部材１５を一側に強制的に保持する状態とを、その回動位置によって選択できるようになっている。
【００１５】
移動部材１５には、縦框４の前壁に設けられた切欠孔１９を介して取っ手２０が結合されている。
【００１６】
選択部材１６の支軸１７の軸端は、通常時は取っ手２０の蔭に隠れる位置にあり、取っ手２０の操作で移動部材１５を一側に寄せないと、軸端のマイナス溝１８が露出しないようになっている。
【００１７】
次に本発明装置の使用要領について説明する。
【００１８】
選択部材１６が図３に示す通常位置にある状態では、移動部材１５は自由に左右移動を行える。この状態で障子３を開くと、横向きコイルばね９の弾発力でストッパ部材１０が突出する。これと同時に、縦向きコイルばね１１の弾発力で干渉部材１２は上側へ移動する。そして干渉部材１２の突起１３とカム溝１４で係合した移動部材１５は、干渉部材１２の上側移動に伴って図３における左方（他側）へ移動する。
【００１９】
この状態のまま、取っ手２０に手を添えずに障子３を閉めると、その後方に干渉部材１２が位置しているために没入方向への移動を阻止されたストッパ部材１０の先端が戸当たり枠２１に突き当たる。これにより、縦框４と戸当たり枠２１との間に隙間が開き、指詰めが防止される。
【００２０】
この状態から、取っ手２０に手を添えて障子３を閉めようとすると、取っ手２０が戸当たり枠２１に近づく方向へ移動し、これに伴って取っ手２０と一体をなす移動部材１５が図３における右方へと移動する。すると、カム溝１４の傾斜に沿って干渉部材１２が下向きに移動させられる。ストッパ部材１０の後端面から干渉部材１２が外れると、ストッパ部材１０は没入方向移動を妨げられなくなるので、戸当たり枠２１に押されてケース７内に没入し、障子３は全閉状態となる。
【００２１】
当初から取っ手２０に手を添えて障子３を閉めれば、取っ手２０の動きに応じて干渉部材１２が下動するので、ストッパ部材１０は戸当たり枠２１に衝当すると同時にケース７内に没入し、なんら抵抗無く全閉することができる。
【００２２】
ストッパ部材１０の機能を無効化したい場合は、取っ手２０を戸当たり枠２１に近づける向きに移動させて選択部材１６の支軸１７の端部を露出させ、これをマイナスドライバなどで９０度回動させる。すると、図４に示したように、偏心カムからなる選択部材１６が、移動部材１５を一側へ押し付けて戻らなくする。これにより、移動部材１５と連動する干渉部材１２が下方位置から戻れなくなり、ストッパ部材１０の没入移動を阻止し得なくなるので、ストッパ部材１０は出没運動が自由となり、戸当たり枠２１に衝当すると抵抗無くケース７内に没入することとなる。
【００２３】
【発明の効果】
このように本発明によれば、不用意な閉め方をした場合に指を挟むことを防止するためのストッパ機能を任意に無効化し得るので、安全装置を必要としない使用者に対して閉める度にストッパの解除を強いるという不都合を払拭することができる。また、ストッパ機能を有効にした状態にあっても、戸を閉める操作の中でストッパの解除が自動的に行われるので、使用者に煩わしさを感じさせない上、当初から取っ手に手を添えて閉めさえすれば抵抗感無く全閉するので、事故を誘発させるような乱雑な閉め方をしないように習慣づけることができる。これに加えて、サッシュにビルトインすることができるので、サッシュの付加価値を高めることができる。
【図面の簡単な説明】
【図１】本発明が適用された引き違い式ガラス障子の全体斜視図
【図２】本発明装置の縦框への取付状態を示す室内側から見た正面図
【図３】本発明装置の機能有効状態時の一部切除して示す背面図
【図４】本発明装置の機能無効状態時の一部切除して示す背面図
【図５】本発明装置の一部切除して示す上面図
【符号の説明】
１  固定枠
２・３  ガラス障子
４  縦框
５  安全装置
６  切欠孔（側面）
７  ケース
８  フランジ
９  横向きコイルばね
１０  ストッパ部材
１１  縦向きコイルばね
１２  干渉部材
１３  突起
１４  カム溝
１５  移動部材
１６  選択部材
１７  支軸
１８  マイナス溝
１９  切欠孔（前面）
２０  取っ手
２１戸当たり枠
【図１】
0004455723.tif 000002
【図２】
0004455723.tif 000003
【図３】
0004455723.tif 000004
【図４】
0004455723.tif 000005
【図５】
0004455723.tif 000006